【事件の表示】
　特願２００３−３１６６５７「静電容量型タッチパネル装置」拒絶査定不服審判事件〔平成１７年　３月３１日出願公開、特開２００５−　８４９８２〕について、次のとおり審決する。
【結　論】
　本件審判の請求は、成り立たない。
【理　由】
１．手続の経緯
　本願は、平成１５年９月９日の出願であって、平成２０年６月２４日付けで拒絶査定され、これに対し、同年７月３１日に拒絶査定不服審判が請求されるともに、同年１０月９日付けで手続補正書（方式）が提出されたものである。
　
２．本願発明について
　本願の請求項１に係る発明は、平成２０年３月１７日付けの手続補正により補正された特許請求の範囲の請求項１に記載された次のとおりのものと認める（以下、「本願発明」という。）。
　
「【請求項１】
　静電容量型タッチパネルにおいて、アクリル板又はガラス板に貼り付け、透明スイッチ電極を透明シートに設け、外側に透明シートを拡張し、前記拡張した拡張部分に、不透明スイッチ電極を印刷した拡張電極シートを作成し、前記拡張電極シートの透明スイッチ電極を設けた透明シート部分を透明接着材でアクリル板又はガラス板と、該アクリル板又はガラス板の下側に設けられている液晶表示装置とからなる透明部に貼り付け、前記拡張電極シートの拡張部分に設けた不透明スイッチを樹脂で形成されている筐体に両面テープで貼り付けたパネル部であり、前記パネル部の透明スイッチ電極及び不透明スイッチ電極に対し、静電容量結合する導通部材が、接触状態と非接触状態時のスイッチの静電容量変化量を計測する演算回路と、前記静電容量変化量を記憶する不揮発性メモリを搭載した制御基板からなる制御部を設けたことを特徴とする静電容量型タッチパネル装置。」
　
３．引用刊行物
　原査定の拒絶の理由で引用した刊行物である特開平１０−１１３９６９号公報（以下、「刊行物」という。）には、図面とともに以下の技術事項が記載されている。
　
（ａ）「【０００９】
【課題を解決するための手段及び実施の形態】本発明は、ディスプレイ２の画面２ｖ上に付設したタッチ入力パネル３を有する射出成形機の入力装置１を構成するに際して、特に、タッチ入力パネル３を画面２ｖよりも大きく形成することにより、画面２ｖの外側に延長したパネル延長部３ｅを設け、このパネル延長部３ｅに一又は二以上の特定のキーｋ…を有するキー部を表示したことを特徴とする。」
　
（ｂ）「【００１１】これにより、タッチ入力パネル３の一部となるパネル延長部３ｅに、テンキー部Ｓａ，ファンクションキー部Ｓｂ及びカーソルキー部Ｓｃが設けられるため、メンブレンシートスイッチ等の別途のスイッチパネルが不要になるとともに、全ての入力はタッチ操作により可能となる。また、テンキー部Ｓａ，ファンクションキー部Ｓｂ及びカーソルキー部Ｓｃは、印刷等により表示できるため、キーｋ…の追加や削除及びレイアウト変更が容易になる。
【００１２】
【実施例】次に、本発明に係る好適な実施例を挙げ、図面に基づき詳細に説明する。
【００１３】まず、本実施例に係る入力装置１の構成について、図１〜図４を参照して説明する。
【００１４】図中、２は液晶表示器を用いたディスプレイであり、このディスプレイ２の画面２ｖ上には、タッチ入力パネル３を付設する。この場合、タッチ入力パネル３は画面２ｖよりも大きく形成し、画面２ｖの外側に延長したパネル延長部３ｅを設ける。タッチ入力パネル３は、静電容量方式，光方式，抵抗シート方式等の任意のタッチ入力パネルを利用できる。一例として、静電容量方式のタッチ入力パネルは、透明基板層，透明抵抗膜層及び透明絶縁層からなる多層構造を有し、表面を手でタッチすることにより、タッチした位置のＸＹ座標情報を出力させることができる。
【００１５】一方、パネル延長部３ｅの表面には、一又は二以上の特定のキーｋ…を有するテンキー部Ｓａ，画面切換キー等を含むファンクションキー部Ｓｂ及びカーソルキー部Ｓｃを印刷する。また、ディスプレイ２の隣接位置には、上面を平面形成した支持プレート４を配設し、パネル延長部３ｅの下面をディスプレイ２の画面２ｖと同一の高さに支持する。この場合、支持プレート４は別途設けることなく、既設のハウジング用パネル等を用いてもよい。」
　
（ｃ）「【００１７】他方、タッチ入力パネル３は、図３に示すように、座標検出機能部１１及びコントローラ本体１２を備えるコントローラ１０に接続する。コントローラ本体１２はコンピュータ機能を備え、このコントローラ本体１２には前記ディスプレイ２が接続される。なお、このように構成される入力装置１は、射出成形機Ｍの側面パネルＭｐ上に配設される。」
　
（ｄ）「【００１９】まず、画面２ｖ上には図２に示すような各種キーパターン部１３ａ，１３ｂ，１３ｃ…が表示されるため、任意のキーパターン部１３ａ…を選択して成形条件の設定等を行うことができる。例えば、「射出速度キー」を選択し、そのキー位置を指でタッチすれば、タッチした位置におけるタッチ入力パネル２のＸＹ座標がコントローラ１０に備える座標検出機能部１１により検出される。このとき検出されるＸＹ座標は、パネル延長部３ｅのエリア外におけるＸＹ座標であるため、座標検出機能部１１は、画面２ｖに表示されたキーパターン部１３ａ，１３ｂ，１３ｃ…に対応する入力情報であると判別し、第一出力としてコントローラ本体１２に付与する。したがって、この第一出力は画面２ｖに対応した従来通りのタッチ入力パネル側の入力として用いることができる。」
　
（ｅ）図１、２には、タッチ入力パネル３がシート状であることが開示されている。
　
　これらの記載によれば、刊行物には、次の発明（以下、「刊行物記載発明」という。）が記載されている。
　
「シート状の静電容量方式のタッチ入力パネル３を有する入力装置１において、
　液晶表示器を用いたディスプレイ２の画面２ｖ上には、タッチ入力パネル３を付設し、タッチ入力パネル３は、画面２ｖよりも大きく形成し、画面２ｖの外側に延長したパネル延長部３ｅを設け、
　画面２ｖ上には各種キーパターン部１３ａ、１３ｂ、１３ｃ…が表示され、
　タッチ入力パネル３の一部となるパネル延長部３ｅに、テンキー部Ｓａ、ファンクションキー部Ｓｂ及びカーソルキー部Ｓｃが設けられ、
既設のハウジング用パネル等を用いて、パネル延長部３ｅの下面をディスプレイ２の画面２ｖと同一の高さに支持し、
　タッチ入力パネル３は、コントローラ１０に接続する、シート状の静電容量方式のタッチ入力パネル３を有する入力装置１。」
　
４．周知技術
（１）本願の出願日前に頒布された特開平９−３０６３１４号公報には、図面とともに以下の記載がある。
　
（１−ａ）「【００１９】次に、図３とともに、タッチスイッチＳＷの基本動作を説明する。指ｆを透明絶縁保護板４に接近させず、また直接触れないときには、透明櫛歯電極２間の静電容量は変化せず、ＣＲ発振回路１０の発振周期は、電源投入あるいはリセット時から、Ｐｓに保たれている。ところがこの状態で、指ｆを透明絶縁保護板４に接近させ、あるいは直接触れたときには、電極２間の電気力線の一部が指ｆを通過し接地されることになるので、透明櫛歯電極２で構成される平面状コンデンサＣの容量が減少し、ＣＲ発振回路１０の時定数が減少して、発振周期は小さくなる。
【００２０】タッチ判定回路１１は、常時、ＣＲ発振回路１０の発振周期の変化量を、所定のしきい値ΔＰｔｈと比較しているので、発振周期がこのしきい値ΔＰｔｈ以上に変化すれば、指ｆの接近あるいは接触を判別して、制御回路１２を作動する。なお、ここでは、タッチ判定回路１１では、発振周期が所定のしきい値ΔＰｔｈ以上に変化したときに、すぐにはタッチがされたと判断せず、所定時間ｔ１の間待ってから制御回路１２を作動させるようにしている。また逆に、発振周期の変化量が所定のしきい値ΔＰｔｈより小さくなったとしても、すぐには指ｆがスイッチ面から離れたとは判断せず、所定時間ｔ２の間待つようにしている。このようにすることで、このスイッチＳＷの誤動作を防いでいる。」
　
　
（２）　本願の出願日前に頒布された特開平１１−１３４９８７号公報には図面とともに以下の記載がある。
　
（２−ｂ）「【００２８】発振回路１３は、図５に示すような構成となっており、インバータ素子Ｇ１、Ｇ２を直列に接続することによりなるＲＣ形発振回路である。なお、タッチ操作部１はそれぞれコンデンサとして機能している。本実施の形態では、ＲＣ形発振回路としては、公知のインバータ回路によるものを用いており、インバータ回路の外部に接続された静電容量をＣ、帰還抵抗の抵抗値をＲ、発振周期をＰとすると、Ｐ＝ＫＲＣとなる。なお、Ｋは係数であり、インバータ回路の電源電圧、論理判定の閾値電圧等で決まる定数である。従って、抵抗値Ｒは一定であるので、発振周期Ｐはタッチ検出用電極５、５間の静電容量Ｃに比例することになるため、指の接近によるタッチ操作部１の静電容量Ｃの変化は発振回路１３の発振周期Ｐを測定することによって検知が可能となる。」
　
（２−ｃ）「【００３１】次に、本実施形態のタッチスイッチの動作について図６に基づいて説明する。電源投入・リセット時の発振回路１３の発振周期をＰｓ（定常周期）とする。ここでいう定常周期Ｐｓは、タッチ操作部１に指等が接近していない状態における発振周期Ｐであり、電源投入・リセット直後にこの値を計測する。定常周期Ｐｓを計測した後、直ちに指が接近中であるかどうかを監視する指接近監視状態へ遷移する。
【００３２】次に、指等の接近に伴い、発振周期Ｐが低くなり、定常周期Ｐｓとそのときの発振周期Ｐとの差が、予め定めた閾値ΔＰｔｈ以上となった状態で所定時間が経過すると、タッチ検知判断回路１２では指が接触しているものと判断し、負荷制御回路１１へと出力を行う。負荷制御回路１１は、この出力信号に基づき照明灯の負荷３０のオン・オフ制御を行う。」
　
　上記（１−ａ）の記載と、上記（２−ｂ）、（２−ｃ）の記載においては、タッチ判定のため、発振周期の変化量を所定のしきい値とを比較しているが、静電容量の変化を発振周期の変化として発振回路において計測しているのだから、静電容量の変化量と所定のしきい値とを比較していることと等価である。また、比較すべき所定のしきい値は不揮発性メモリに記憶されていることは当業者にとって自明である。
　さらに、発振回路及び不揮発性メモリが基板に搭載されることも明らかである。
　
（３）したがって、特開平９−３０６３１４号公報、特開平１１−１３４９８７号公報から、本願発明の技術用語を用いると、次の技術が本願の出願日前に周知であったと認められる。
　
「パネル部のスイッチ電極に対し、静電容量結合する導通部材が、接触状態と非接触状態時のスイッチの静電容量変化量を計測する演算回路と、前記静電容量変化量を記憶する不揮発性メモリを搭載した制御基板からなる制御部を設ける」技術。
　
５．本願発明と刊行物記載発明との比較
　本願発明と刊行物記載発明と比較する。
　刊行物記載発明の「静電容量方式のタッチ入力パネル３」は、本願発明の「静電容量型タッチパネル」及び「パネル部」に相当する。
　刊行物記載発明の「静電容量方式のタッチ入力パネル３を有する入力装置１」は、本願発明の「静電容量型タッチパネル装置」に相当する。
　
　刊行物記載発明は、操作者によって操作可能なように、「画面２ｖ上には各種キーパターン部１３ａ、１３ｂ、１３ｃ…が表示され」るが、「画面２ｖ上には、タッチ入力パネル３を付設」されているから、操作者が各種キーパターン部１３ａ、１３ｂ、１３ｃを認識可能なように、刊行物記載発明の、シート状のタッチ入力パネル３が透明部材から構成されていることは、明らかであって、画面２ｖ上の部分と、その外側に延長したパネル延長部３ｅとを合わせて拡張シートということができる。
　また、刊行物記載発明の「各種キーパターン部１３ａ、１３ｂ、１３ｃ」は、本願発明の「透明スイッチ電極」と「スイッチ」の点で一致する。
　
　刊行物記載発明において、「タッチ入力パネル３の一部となるパネル延長部３ｅに、テンキー部Ｓａ、ファンクションキー部Ｓｂ及びカーソルキー部Ｓｃが設けられ」ている。刊行物記載発明の「パネル拡張部ｅ」は、本願発明の「拡張した拡張部分」に相当するから、刊行物記載発明が、拡張した拡張部分にスイッチを設けていることは明らかである。
　
　刊行物記載発明の「液晶表示器を用いたディスプレイ２の画面２ｖ」のうち、タッチ入力パネル３に接している表面部分も、表示される各種キーパターン部１３ａ、１３ｂ、１３ｃが操作者によって認識可能なように透明な部材で構成されていることは、明らかであって、刊行物記載発明の「液晶表示器を用いたディスプレイ２」は、本願発明の「液晶表示装置」に相当している。
　また、刊行物記載発明では、「液晶表示器を用いたディスプレイ２の画面２ｖ上には、タッチ入力パネル３を付設し」ているが、「液晶表示器を用いたディスプレイ２の画面２ｖ」と「タッチ入力パネル３」が貼り付けられていることは、明らかである。
　したがって、刊行物記載発明と本願発明とは、「拡張シートのスイッチを設けた透明シート部分を、液晶表示装置の透明部に貼り付け」る点で一致する。
　
　刊行物記載発明の「ハウジング用パネル」は、本願発明の「筐体」に相当する。
　
　刊行物記載発明では、既設のハウジング用パネル等を用いて、パネル延長部３ｅを支持するから、刊行物記載発明と本願発明は、パネル部が、前記拡張シートの拡張部分を筐体に接するようにさせている点で一致する。
　
刊行物記載発明の「コントローラ１０」は、タッチ入力パネル３の制御を行っていることは明らかであるから、本願発明の「制御部」に一致する。
　
　すると、本願発明と、刊行物記載発明とは、次の点で一致する。
　
［一致点］
「静電容量型タッチパネルにおいて、スイッチを透明シートに設け、外側に透明シートを拡張し、前記拡張した拡張部分に、スイッチを設けた拡張シートを作成し、前記拡張シートの透明シート部分を液晶表示装置の透明部に貼り付け、前記拡張シートの拡張部分を筐体に接するようにさせたパネル部であり、制御部を設けた静電容量型タッチパネル装置。」である点。
　
　一方で、両者は次の点で相違する。
　
［相違点１］
　本願発明の静電容量型タッチパネルは、その透明シートに、透明スイッチ電極を設けているのに対して、刊行物記載発明では、透明シートに、スイッチを設けているものの、透明スイッチ電極を設けることが記載されていない点。
　
［相違点２］
　本願発明では、透明シートの拡張部分に、不透明スイッチ電極が印刷されるのに対して、刊行物記載発明では、透明シートの拡張部分に、スイッチを設けているものの、不透明スイッチ電極が印刷により設けられることが記載されていない点。
　
［相違点３］
　本願発明では、透明電極を設けた透明シート部分を透明接着剤でアクリル板又はガラス板と、該アクリル板又はガラス板の下側に設けられている液晶表示装置とからなる透明部に貼り付けるのに対して、刊行物記載発明は、透明シート部分を液晶表示装置の透明部に貼り付けているものの、透明電極を設けた透明シート部分を透明接着剤でアクリル板又はガラス板と、該アクリル板又はガラス板の下側に設けられている液晶表示装置とからなる透明部に貼り付けることは記載されていない点。
　
［相違点４］
　本願発明は、拡張シートの拡張部分に設けた不透明スイッチを樹脂で形成されている筐体に両面テープで貼り付けるのに対して、刊行物記載発明は、拡張シートの拡張部分が筐体に接するものの、拡張シートの拡張部分に設けた不透明スイッチを樹脂で形成されている筐体に両面テープで貼り付けていない点。
　
［相違点５］
　本願発明は、パネル部の透明スイッチ電極及び不透明スイッチ電極に対し、静電容量結合する導通部材が、接触状態と非接触状態時のスイッチの静電容量変化量を計測する演算回路と、前記静電容量変化量を記憶する不揮発性メモリを搭載した制御基板からなる制御部を設けるのに対して、刊行物記載発明は、制御部が設けられているものの、パネル部の透明スイッチ電極及び不透明スイッチ電極に対し、静電容量結合する導通部材が、接触状態と非接触状態時のスイッチの静電容量変化量を計測する演算回路と、前記静電容量変化量を記憶する不揮発性メモリを搭載した制御基板からなる制御部を設けることは記載されていない点。
　
６．相違点の検討
［相違点１］について
　特開平９−２８８９４４号公報の段落【００１４】、図２、特開平１１−１３４９８７号公報の段落【００１９】に記載されるように、透明絶縁基板に透明電極を設けることは、本願の出願日前に周知の技術であるから、刊行物記載発明の静電容量型タッチパネルに周知技術を適用して、静電容量型タッチパネルの透明シートに、透明スイッチ電極を設けることは、当業者が容易に想到し得たものである。
　
［相違点２］について
　特開平６−８５４３８号公報の段落の【００１２】、【００２２】、図１、特開昭６３−９２２４号公報の第２頁左下欄第１４行〜第３頁左上欄第５行に記載されるように、基材に、銀ペースト、グラファイト粉末からなる不透明な導電性ペーストを用いたシルクスクリーン印刷により電極を設けることは、本願の出願日前に周知の技術であるから、刊行物記載発明の静電容量型タッチパネルの透明シートの拡張部分に設けられるスイッチを印刷により設けられる不透明スイッチ電極とすることは、当業者が容易になし得たものである。
　
［相違点３］について
　特開平９−２８８９４４号公報の段落【００１４】、【００２５】、図２、特開平１０−６４３８６号公報の段落【００１９】〜【００２０】、【００５３】、図２に記載されるように、透明電極を設けた透明シート部分をアクリル板と、該アクリル板の下側に設けられている発光部を覆う絶縁基板とからなる透明部に貼り付けることは、本願の出願日前に周知の技術であるから、刊行物記載発明に周知技術を適用して、本願発明のように、透明電極を設けた透明シート部分をアクリル板と、該アクリル板の下側に設けられている液晶表示装置とからなる透明部に貼り付けるようにすることは、当業者が容易に想到し得たものである。
　そして、透明シートを、アクリル板と液晶表示装置とからなる透明部に貼り付ける際に、どのような手段を用いて貼り付けるかは、当業者が適宜選定し得る事項にすぎず、接着剤による接着を選択した場合、透明シート部分は、透明性が要求されることから、当該接着剤を透明なものにすることは当然である。
　
［相違点４］について
　特開平１０−２０７６３０号公報の段落【０００８】、図５（ｂ）、特開２００２−３５１３４８号公報の段落【００１０】、図２（ａ）に記載されるように、タッチパネルの縁部を筐体に両面テープで貼り付けることは、本願の出願日前に周知の技術であるから、刊行物記載発明の静電容量型タッチパネルのパネル部の筐体への取付に周知技術を適用して、静電容量型タッチパネルのパネル部の縁部である拡張シートの拡張部分を筐体に両面テープで貼り付けるようにすることに、格別な技術的困難性は有さない。
　拡張シートの拡張部分に、不透明スイッチ電極を設けることについては、すでに相違点２で検討したが、そのような拡張シートの拡張部分を筐体に両面テープに貼り付けることは、拡張シートの拡張部分に設けた不透明スイッチを筐体に両面テープで貼り付けることを意味する。
　また、どのような材質の筐体を採用するかは、当業者が必要に応じて適宜決定し得る事項であり、タッチパネルの検出方式が静電容量型であれば、タッチパネル周辺の電気的特性を乱さないように、当該筐体を樹脂製のものとすることは、当業者であれば当然のことである。
　
［相違点５］について
　前記４．（３）に示したように、「パネル部のスイッチ電極に対し、静電容量結合する導通部材が、接触状態と非接触状態時のスイッチの静電容量変化量を計測する演算回路と、前記静電容量変化量を記憶する不揮発性メモリを搭載した制御基板からなる制御部を設ける」技術は周知の技術であると認められるから、刊行物記載発明の制御部として周知技術を採用して、本願発明のように、パネル部の透明スイッチ電極及び不透明スイッチ電極に対し、静電容量結合する導通部材が、接触状態と非接触状態時のスイッチの静電容量変化量を計測する演算回路と、前記静電容量変化量を記憶する不揮発性メモリを搭載した制御基板からなる制御部を設けることは、当業者が容易になし得たものである。
　
　また、本願発明の構成によって生じる効果も、刊行物記載発明及び周知技術から当業者が予測し得るものである。
　
　なお、審判請求人が提出した平成２０年１０月９日付け手続補正書（方式）の【本願が登録されるべき理由】「２．補正の根拠の明示」において、「本理由補充書と同日付けで提出した手続補正書における「静電容量型タッチパネルに於いて（中略）静電容量型入力装置。」の補正事項」と記載されているが、当該補正事項を記載した手続補正書は提出されていない。
　
７．むすび
　以上のとおり、本願発明は、刊行物記載発明及び周知技術に基づいて、当業者が容易に発明をすることができたものである。
　したがって、本願はその余の請求項について論及するまでもなく、特許法第２９条第２項の規定により特許を受けることができない。
　
　よって結論のとおり審決する。